(57)【特許請求の範囲】
【請求項１】
脚１１で支持された床１に、便器１６を設けると共に、床１の下方に便容器２３を設け、さらに、床１に支承筒挿入口２を設け、この支承筒挿入口２に汲取りホース支承筒２８を挿入して、支承筒挿入口２の口縁部に、汲取りホース支承筒２８の口部フランジ２９を載置し、汲取りホース支承筒２８の下部が便容器２３の底部近くにあるように形成して、汲取りホース支承筒２８を回動可能に設け、この汲取りホース支承筒２８の下部近くに、便塊分解具３８の下方の基部を、下部軸４０で回動可能に軸着し、便塊分解具３８は、汲取りホース支承筒２８に沿う収納位置から、先端が下方に回動して、略水平状となる展開位置まで回動できるように形成した簡易トイレ。
【請求項２】
汲取りホース支承筒２８の口部フランジ２９に、回動用の把手３０を取付けた請求項１記載の簡易トイレ。
【請求項３】
支承筒挿入口２を、便落下孔１８と便落下孔１８の後方の枠材８との間の、便落下孔１８の近傍に設けた請求項１又は請求項２のいずれかに記載した簡易トイレ。
【発明の詳細な説明】
【０００１】
【発明の属する技術分野】
本発明は、災害時などに使用する簡易トイレに関する。
【０００２】
【従来の技術】
本件出願人は、さきに簡易トイレに関する発明を出願している。そして、前記発明は、特開平９−７０３７４号公報として公開されている。
【０００３】
前記公開された公報に記載された発明は、図５に示すように、脚１１で支持された床１に、便器１６を設けると共に、床１の下方に便容器２３を取付け、さらに、床１から汲取りホース支承筒２８を吊下げて設けたものである。
【０００４】
そして、汲取りホース支承筒２８の下端部には、汲取りホースの下降を阻止するストッパ３１を設けると共に、屎尿吸入孔３２を設けている。
【０００５】
【発明が解決しようとする課題】
前記図５に示す簡易トイレは、普通の固さの便を普通の頻度で排便している場合は、特に問題はない。
【０００６】
しかしながら、固い便を大勢のトイレ使用者が高頻度で排便した場合には、屎尿の塊が屎尿吸入孔３２を閉ざし、汲取りの支障となる虞れがあった。
本発明は、前記事項に鑑みなされたものであり、固い便が高頻度で排便されても、屎尿の汲取りに支障がない簡易トイレにすることを課題とする。
【０００７】
【課題を解決するための手段】
上記の課題を解決するために、第１の発明は、脚１１で支持された床１に、便器１６を設けると共に、床１の下方に便容器２３を設け、さらに、床１に支承筒挿入口２を設け、この支承筒挿入口２に汲取りホース支承筒２８を挿入して、支承筒挿入口２の口縁部に、汲取りホース支承筒２８の口部フランジ２９を載置し、汲取りホース支承筒２８の下部が便容器２３の底部近くにあるように形成して、汲取りホース支承筒２８を回動可能に設け、この汲取りホース支承筒２８の下部近くに、便塊分解具３８の下方の基部を、下部軸４０で回動可能に軸着し、便塊分解具３８は、汲取りホース支承筒２８に沿う収納位置から、先端が下方に回動して、略水平状となる展開位置まで回動できるように形成して簡易トイレとした。
【０００８】
第２の発明は、第１の発明において、汲取りホース支承筒２８の口部フランジ２９に、回動用の把手３０を取付けて簡易トイレとした。
第３の発明及び第４の発明は、第１の発明又は第２の発明において、支承筒挿入口２を、便落下孔１８と便落下孔１８の後方の枠材８との間の、便落下孔１８の近傍に設けて簡易トイレとした。
【０００９】
【発明の実施の形態】
以下図に基いて本発明の実施の形態の説明をする。図１〜図４は、本発明の一実施の形態の説明用の図である。
【００１０】
この実施の形態は、枠材８を長方形の四角形に組立て、さらに、長尺に形成された方の一対の枠材８の間には、一本の枠材８と２本の桟１０を架設してある。そして、前記四角形に組立てられた枠材８は、４本の脚１１で支持されている。
【００１１】
そして、前記枠材８の上面には、床１が設けてあり、この床１は、枠材８の上面に敷設したベニヤ板と、さらに、そのベニヤ板の上面に敷設した塩化ビニール樹脂の合成樹脂製シートで形成されている。
【００１２】
そして、前記枠材８には、数箇所に床１を貫通して形成された支柱装着孔９が設けてあり、図示していない支柱を装着するように形成してある。そして、前記支柱は、図示していない幌を装着して簡易トイレを覆えるように形成するものである。
【００１３】
そして、前記床１の奥寄りの位置には、便器１６の装着用の孔が設けてあり、この孔に合成樹脂製の和式の便器１６の下部が挿入され、便器１６に設けた便器フランジ１７が、床１の孔縁に載置されて便器１６を止着している。
【００１４】
そして、床１の下方には、可撓性を有する合成樹脂製で、四角形の袋状に形成された便容器２３が、図示してない取付具で取付けてある。
さらに、前記床１に設けた便器１６の便落下孔１８と、便落下孔１８の後方の枠材８との間の、便落下孔１８の近傍の床１には、図１に示すように、支承筒挿入口２を設けており、この支承筒挿入口２には、図２及び図４に示すように、一対の切欠部３が形成してある。
【００１５】
そして、前記支承筒挿入口２に、汲取りホース支承筒２８を挿入するのであるが、前記汲取りホース支承筒２８は、硬質の合成樹脂製で円筒状に形成され、上端に口部フランジ２９が設けてあり、口部フランジ２９には、把手３０が回動自在に軸着してある。
【００１６】
そして、前記汲取りホース支承筒２８の外側の下部近くの両側部に、図１、図３、図４に示すように、一対の下部軸受３７を設け、この下部軸受３７に、長尺状の便塊分解具３８の下方の基部を、下部軸４０で回動可能に軸着してある。
【００１７】
そして、前記便塊分解具３８は、図４に示すように、汲取りホース支承筒２８に沿って縦方向となる収納位置から、先端が下方の外方に回動して、略水平状となる展開位置に回動できるように形成してある。
【００１８】
そして、前記便塊分解具３８は、図４に２点鎖線で示すように、水平状となった位置で、基端部３９が、汲取りホース支承筒２８の下部近くに縦方向に形成した溝形孔４１に嵌入して、溝形孔４１の端部に当接し、水平状態を維持できるように形成してある。
【００１９】
そして、汲取りホース支承筒２８の両側部の略中央部には、一対の上部軸受４６が設けてあり、この上部軸受４６に挟み付け具４７の基部が、上部軸４８で回動自在に軸着してある。
【００２０】
そして、前記挟み付け具４７は、図３に示す位置で先端部４９が、便塊分解具３８の先端を回動しないように押さえ、図４に示す、先端部４９が上方に回動した位置で、便塊分解具３８を解放するように形成されている。
【００２１】
そして、前記便塊分解具３８は、分解して移送する移送中などには、図３に示すように、挟み付け具４７で回動しないように押さえられ、簡易トイレを組み立てるときには、便塊分解具３８は、図４に示すように解放されるものである。
【００２２】
そして、汲取りホース支承筒２８は、挟み付け具４７の先端部４９を、図４に示すように上方に回動して、便塊分解具３８を解放した状態で、汲取りホース支承筒２８の先端を、床１の支承筒挿入口２に臨ませる。
【００２３】
そして、それと共に、下部軸受３７の設けられた部分を、床１の支承筒挿入口２に設けた切欠部３に臨ませて、汲取りホース支承筒２８を床１の支承筒挿入口２に挿入し、支承筒挿入口２の口縁部に、汲取りホース支承筒２８の口部フランジ２９を載置する。
【００２４】
そうすると、汲取りホース支承筒２８の下部が便容器２３の底部近くとなるように形成されている。
そして、図２に示すように、床１の前寄りの位置で、かつ、便落下孔１８側となる位置には、固液分離器５４が設置してあり、この固液分離器５４に接続する排出流路５６には、滅菌剤収容部５５が設けてある。
【００２５】
そして、図４に実線で示された便塊分解具３８は、汲取りホース支承筒２８を回動させると、便塊分解具３８に作用する遠心力により、２点鎖線で示された位置に展開し、基端部３９が汲取りホース支承筒２８に形成された溝形孔４１に嵌入し、基端部３９が溝形孔４１の端部に当接して、便塊分解具３８は水平状態に維持される。
【００２６】
そして、汲取りホース支承筒２８の近くにある便塊は、回動する便塊分解具３８で分解される。
前記実施の形態では、支承筒挿入口２に、便塊分解具３８などの突出部のある汲取りホース支承筒２８を回動可能に挿入するために、支承筒挿入口２に切欠部３を設けている。
【００２７】
しかしながら、汲取りホース支承筒２８の便塊分解具３８や挟み付け具４７を設けた部分を小径に形成するなどし、便塊分解具３８や挟み付け具４７が、支承筒挿入口２内を通過できるように形成すれば、前記切欠部３は不必要となる。
【００２８】
そして、汲取りホース支承筒２８を回動させる機構は、モータによる回転機構、又は、足踏み敷き回転機構とすることも可能である。
そして、便塊分解具３８を水平状態に維持する手段として、便塊分解具３８の中央部に、紐やチェーンの一端を取付け、紐やチェーンの他端を汲取りホース支承筒２８の上部に取付け、紐やチェーンで便塊分解具３８を水平状態に維持するように形成することも可能である。
【００２９】
そして、移送中などに、便塊分解具３８を汲取りホース支承筒２８に沿わせて保持する手段として、ゴム紐などで便塊分解具３８を抑止する手段もある。
【００３０】
【発明の効果】
本発明は、床１の支承筒挿入口２に汲取りホース支承筒２８を挿入して、汲取りホース支承筒２８の下部が便容器２３の底部近くにあるように形成して、汲取りホース支承筒２８を回動可能に設け、この汲取りホース支承筒２８の下部近くに、便塊分解具３８を軸着し、便塊分解具３８は、略水平状となる展開位置まで回動できるように形成したものである。
【００３１】
したがって、汲取りホース支承筒２８の周辺にある便塊は、回動する便塊分解具３８が当接することによって、分解され、汲取りホースで便容器２３内の屎尿の汲取時に、便塊が汲取りホースの吸入口を閉鎖するのを防ぐことができるものである。
【００３２】
そして、汲取りホース支承筒２８に回動用の把手３０を設けた発明は、便塊分解具３８を容易に回動できるものである。
そして、支承筒挿入口２を、便落下孔１８と便落下孔１８の後方の枠材８との間の、便落下孔１８の近傍に設けた発明は、汲取りホース支承筒２８の周辺の便塊を分解できると共に、便落下孔１８の下方で最も便塊の集積し易い個所の便塊を分解できるものである。
【図面の簡単な説明】
【図１】本発明の一実施の形態の説明用の図で、図２のＡ−Ａ線の断面図
【図２】本発明の一実施の形態の説明用の平面図
【図３】本発明の一実施の形態の汲取りホース支承筒の説明用の正面図
【図４】本発明の一実施の形態の汲取りホース支承筒の装着状態の説明用の正面図
【図５】従来例の要部の断面図
【符号の説明】
１…床
２…支承筒挿入口
３…切欠部
８…枠材
９…支柱装着孔
１０…桟
１１…脚
１６…便器
１７…便器フランジ
１８…便落下孔
２３…便容器
２８…汲取りホース支承筒
２９…口部フランジ
３０…把手
３１…ストッパ
３２…屎尿吸入孔
３７…下部軸受
３８…便塊分解具
３９…基端部
４０…下部軸
４１…溝形孔
４６…上部軸受
４７…挟み付け具
４８…上部軸
４９…先端部
５４…固液分離器
５５…滅菌剤収容部
５６…排出流路
【図１】
0003784504.tif 000002
【図２】
0003784504.tif 000003
【図３】
0003784504.tif 000004
【図４】
0003784504.tif 000005
【図５】
0003784504.tif 000006